(57)【要約】【課題】  記録再生装置を複数のユーザで使用する場合、コピー回数が限られているコンテンツを記録指示したユーザ以外が自由にコピーすると、記録指示したユーザが所望するコピー回数を確保できなくなる。【解決手段】  記録再生装置にコンテンツを記録する際に、デジタル情報からコピー可能回数などのコピー制御情報を抽出する手段、記録されたコンテンツに対してユーザ毎に割り当てられるコピー回数を管理する手段を設け、予め、記録を指示したユーザがコンテンツ記録時にユーザ毎に必要なコピー数を把握する。【選択図】  図１
2010141757.tif 000002
【特許請求の範囲】
【請求項１】
デジタル放送を受信し、該デジタル放送に係るコンテンツを記録したものをコピーする場合のコピー回数を管理するコンテンツ管理装置であって、
コピーを行う複数のユーザを登録するユーザ情報管理部と、
前記コンテンツの内容情報とともに、該コンテンツをコピーできる最大コピー回数及び前記ユーザ情報管理部で登録された各ユーザがコピーできるコピー回数が記録されるコンテンツ情報管理部と、
前記最大コピー回数の範囲内で、登録された各ユーザが指定するコピー回数に基づき、各ユーザにコピー回数を割り当てて、当該コピー回数を前記コンテンツ情報管理部に記録する制御部とを備えたことを特徴とするコンテンツ管理装置。
【請求項２】
前記制御部は、全ユーザから指定されたコピー回数が、前記最大コピー回数を上回るかどうか判断し、上回る場合は、指定されたコピー回数を変更してコピー回数を割り当て、上回らない場合は、指定されたコピー回数をそのまま割り当てることを特徴とする請求項１に記載のコンテンツ管理装置。
【請求項３】
前記コンテンツ情報管理部には、さらに各ユーザがコピーを行ったコピー回数が記録され、
前記制御部は、ユーザによりコピーが行われた場合に、前記コンテンツ情報管理部で当該ユーザがコピーを行ったコピー回数を１増やして記録することを特徴とする請求項１に記載のコンテンツ管理装置。
【請求項４】
前記デジタル放送の受信系統が複数あり、同じコンテンツを複数記録することが可能であって、
前記制御部は、全ユーザから指定されたコピー回数が、前記最大コピー回数を上回る場合は、同じコンテンツを複数記録可能であることをユーザに提示する処理を行うことを特徴とする請求項１に記載のコンテンツ管理装置。
【請求項５】
各ユーザから指定されるコピー回数はコンテンツの記録予約時に指定されることを特徴とする請求項１に記載のコンテンツ管理装置。
【請求項６】
前記制御部は、前記最大コピー回数から全ユーザに割り当てられたコピー回数を引いた残りのコピー回数をユーザに提示する処理を行うことを特徴とする請求項１に記載のコンテンツ管理装置。
【請求項７】
前記制御部は、各ユーザから変更指定されたコピー回数が、既にユーザに指定されたコピー回数に前記残りのコピー回数を加えた回数の範囲内であれば、当該変更指定されたコピー回数をコンテンツ情報管理部に記録することを特徴とする請求項６に記載のコンテンツ管理装置。
【発明の詳細な説明】
【技術分野】
【０００１】
本発明は、コンテンツを記録再生可能なコンテンツ管理装置に係り、特に、コンテンツのコピー数を管理するコンテンツ管理装置に関する。
【背景技術】
【０００２】
近年、デジタル放送の普及が急速に進み、デジタル放送を通じて多種多様なコンテンツを視聴・録画することができるようになっている。
【０００３】
デジタル放送の番組データは、画質が劣化しないデジタルデータであるため、番組データを無制限にコピーすることは著作権上の問題がある。そこで、番組データのコピーに制限をかけるようにするため、デジタル放送では、番組データにデジタルコピー制御情報を付加し、ＨＤＤレコーダー等のデジタル放送受信記録装置では、前記コピー制御情報に基づき、記録した番組データを１度だけコピー可能とする「コピーワンス」を行うように規格で定められている。
【０００４】
しかしながら、「コピーワンス」では、複数の友人に録画した番組を渡せないなど、個人が利用する場面で不便が多い。
【０００５】
そこで、［非特許文献１］に記載されるように、録画した番組データについて、家族３人で３回ずつのコピーを可能とすべく、コピー９回、ムーブ１回を可能とする規格が定められ、当該規格に対応した機器が製品化されている。
【０００６】
【非特許文献１】日経エレクトロニクス2007 4-9 p8
【発明の開示】
【発明が解決しようとする課題】
【０００７】
しかしながら、非特許文献１では、家族３人で使用することを想定してはいるが、ユーザ毎に必要なコピー回数を考慮してはいない。
【０００８】
このため、あるユーザによって許容されたコピー回数分だけコピーが行われてしまっていると、他のユーザは、もはやコピーができなくなってしまう。
【０００９】
逆に、他のユーザのコピー回数が分からず、自分がどれだけコピーをして良いのかが分からないことになる。
【課題を解決するための手段】
【００１０】
上記課題を解決するため、本発明のコンテンツ管理装置は、デジタル放送を受信し、該デジタル放送に係るコンテンツを記録したものをコピーする場合のコピー回数を管理するコンテンツ管理装置であって、コピーを行う複数のユーザを登録するユーザ情報管理部と、前記コンテンツの内容情報とともに、該コンテンツをコピーできる最大コピー回数及び前記ユーザ情報管理部で登録された各ユーザがコピーできるコピー回数が記録されるコンテンツ情報管理部と、前記最大コピー回数の範囲内で、登録された各ユーザが指定するコピー回数に基づき、各ユーザにコピー回数を割り当てて、当該コピー回数を前記コンテンツ情報管理部に記録する制御部とを備える。
【００１１】
また、前記制御部は、全ユーザから指定されたコピー回数が、前記最大コピー回数を上回るかどうか判断し、上回る場合は、指定されたコピー回数を変更してコピー回数を割り当て、上回らない場合は、指定されたコピー回数をそのまま割り当てる。
【発明の効果】
【００１２】
本発明によれば、複数ユーザが１台の記録装置を使用する場合に、各ユーザは許容されたコンテンツのコピー回数の範囲内で、自身のコピー回数を予め設定することができ、各ユーザのコピー回数を適切に管理することができる。
【発明を実施するための最良の形態】
【００１３】
以下、本発明の実施形態を、図面を用いて説明する。
【実施例１】
【００１４】
図１は、本発明の第一の実施例における装置の機能構成を示したブロック図である。
【００１５】
１０１はデジタル放送信号の入力端子、１０２はチューナ復調部である。入力端子１０１から入力されたデジタル放送信号に対してチューナ復調部１０２で選局と復調とを行い１本のデジタルストリームを取り出す。１０３は受信信号処理部であり、復調されたデジタルストリームのデジタルデータ変換およびエンコードを行う。１０４は記録/再生制御部であり、受信信号処理部１０３の出力信号をトランスポートストリーム（ＴＳ：Ｔｒａｎｓｐｏｒｔ Ｓｔｒｅａｍ）等のデータ構造に変換し記録する、あるいは、映像、音声、その他のデータを分離抽出する。１０５は再生信号処理部、１０６は表示装置、１０７はスピーカーである。再生信号処理部１０５は、記録/再生制御部１０４で抽出された映像や音声、その他のデータをもとに映像信号、音声信号を生成し、表示装置１０６およびスピーカー１０７に出力する。
【００１６】
図２にデジタル放送信号のトランスポートストリームのデータ構造を示す。２０１は動画データや静止画データ等が含まれる映像情報、２０２は音声データ等が含まれる音声情報である。映像情報２０１と音声情報２０２は、記録/再生制御部１０４で抽出される。
【００１７】
２０３はデジタルコピー制御情報、２０４はコンテント利用情報であり、これらの情報は、著作権を保護するための情報である。
【００１８】
コピー制御情報２０３は、コピー可否や回数により、「コピーフリー」、「コピーワンス」、「ノーモアコピー」および「コピーネバー」に分類される。「コピーフリー」は、対象となる番組のコピーを制限無しに行えるようにするための制御情報である。「コピーワンス」は、対象となる番組のコピーを１回しか行えないようにするための制御情報である。従って、一旦ＨＤＤなどに録画した番組を別の記録媒体にコピーすることはできない。ただし、一般的にムーブは可能となっている。「ノーモアコピー」は、対象となる番組のコピーをさらに行えないようにするための制御情報である。「コピーワンス」の番組を一度記録すると、「ノーモアコピー」の番組となる。「コピーネバー」は、対象となる番組のコピーを禁止するための制御情報である。
【００１９】
コンテント利用情報２０４は、デジタルコピー制御情報２０３を拡張するためのものであり、視聴可能時間やコピー回数フラグ等が記述されている。これらデジタルコピー制御情報２０３およびコンテント利用情報２０４を解析することによりコンテンツのコピー可能な回数を取得することができる。
【００２０】
これらの情報は、一般的にデジタル放送を行う放送局側から番組データとともに放送電波により搬送される。また、トランスポートストリームにはその他、様々な付加情報が含まれるが本発明の説明では省略する。
【００２１】
１０８はコンテンツ記憶部であり、録画指定されたコンテンツが記録/再生制御部１０４でトランスポートストリームに変換され、記録されている。ここで、コンテンツの著作権保護のため、記録/再生制御部１０４がコンテンツ記憶部１０８に記録する際にコンテンツの暗号化を行い、取り出すときに復号化を行うようにしてもよい。１１１はユーザ登録情報管理部であり、本発明のコンテンツ管理装置を使用するユーザ情報が記録されている。
【００２２】
図３にユーザ登録情報を示す。３０１はユーザＩＤであり、各登録ユーザにはユーザＩＤが割り当てられる。３０２は各ユーザを認識するための名前であるユーザ名、３０３は各ユーザのデータを保護するパスワードであり、各ユーザ登録時などに設定される。３０４は各ユーザログイン時のパスワード入力要否であり、各ユーザが自由に登録を行う。３０５は、コンテンツ管理装置を制御するリモコン等にあるボタンの割り当てである。例えば、リモコン等にユーザ切り替えボタンが設けられている場合に設定され、各ユーザに対応したボタンコードが記録されている。３０６および３０７は各ユーザの携帯電話番号およびメールアドレスであり、例えば、携帯電話からの予約録画やコンテンツ削除の通知に使用する。
【００２３】
１１２はリモコン等の制御信号を入力するための入力端子、１１３は入力端子１１２からの入力信号を処理する入力処理部であり、ユーザはリモコン等を使い、デジタル放送のチャンネル選曲や番組の録画予約の設定、ユーザ登録等を行うことができる。１０９はコンテンツ情報管理部であり、コンテンツの録画予約情報や、コンテンツ記憶部１０８に蓄積されているコンテンツ情報が管理されている。
【００２４】
図４にコンテンツ情報管理部の管理テーブルを示す。図４では、番組を番組毎に振当てられた番組ＩＤで管理している場合を示す。なお、番組ＩＤは記録されているコンテンツ単位毎に一意に決まるものであればよい。４０１は番組ＩＤ、４０２はコンテンツ毎のコピー回数であり、デジタルコピー制御情報２０３およびコンテント利用情報２０４等から得られる最大コピー回数や各ユーザのコピーの予約回数および使用状況が記録されている。なお、デジタルコピー制御情報２０３およびコンテント利用情報２０４等はコンテンツ放送時に受信するため、コンテンツ録画予約時点では最大コピー数が解らないが、最大コピー数は放送の種類にほぼ依存し推定可能な場合が多いため、録画予約中の最大コピー数は推定値としてもよい。４０３は録画状況であり、録画済あるいは予約中の状況が記録されている。４０４は番組情報であり、番組表等からタイトルや録画時間、その他の情報が記録されている。以上説明したように、コンテンツ情報管理部１０９では、録画あるいは録画予約されたコンテンツを、コピー回数とともに管理する。なお、最大コピー回数が各ユーザのコピー予約回数の合計より大きい場合は、共有ユーザの予約コピー回数として、他のユーザが後から使えるようにしても良い。
【００２５】
以上説明した本実施形態にかかるコンテンツ管理装置の処理フローを図５から図９を用いて説明する。
【００２６】
図５は、番組の予約録画を行う際の処理手順を示す。
【００２７】
ステップＳ１００は番組表表示であり、ＥＰＧ等のデータからユーザが指定した日付の番組表を表示装置１０６に表示する。ステップＳ１０１は録画番組指定であり、表示された番組表から録画番組が指定され、録画番組情報の抽出がされ、ステップＳ１０２に移行する。ステップＳ１０２は録画番組確認であり、録画予約確認画面を表示し、ユーザに録画する番組の確認を促す。
【００２８】
図６に録画予約確認画面を示す。６０１は表示装置１０６の画面表示部であり、６０２および６０３は表示画面部６０１上に表示された操作ボタンを示し、各々「ＯＫ」および「取消し」の機能が割り当てられている。各操作ボタンの選択、決定はリモコン等で行なわれる。表示画面部６０１にはユーザが録画予約した番組を確認できるように、録画予約した番組のタイトル、放送日時、録画モード等の情報が表示される。
【００２９】
ここで、ユーザが「ＯＫ」ボタンを選択・決定すると、ステップＳ１０３に移行し、「取消し」ボタンを選択・決定するとステップＳ１００に戻る。
【００３０】
ステップＳ１０３では、登録されたユーザのいずれかがログインしているかどうかを判断し、ログインしていなければ、ステップＳ１０４に移行し、ユーザ選択画面を表示し、ユーザ指定を行う。
【００３１】
図７にユーザ選択画面を示す。図６と同じものには同じ番号を付し、説明は省略する。６０５は既に登録されているユーザ名が表示されているユーザリスト、６０６はユーザ選択用フレームである。本画面で、ユーザは、リモコン等で、ユーザを選択、決定する。ここで、選択されたユーザが、ログイン時にパスワード入力をすると設定している場合は、パスワード入力画面が表示される。
【００３２】
図８にパスワード入力画面を示す。６０７はパスワード入力用のダイアログであり、６０８はパスワード入力用のテキストボックスである。本画面で、ユーザはリモコン等で、パスワードを入力する。
【００３３】
ここで、正しいパスワードが入力されると、ユーザ指定が完了し、ステップＳ１０５に移行する。なお、ユーザが、パスワード入力をしないと設定している場合は、パスワード入力は省略される。
【００３４】
ステップＳ１０５では、他ユーザの録画予約状況を確認し、既に他ユーザが録画予約をしている場合はステップＳ１０８に移行する。他ユーザが録画予約をしていない場合は、ステップＳ１０６に移行する。ステップＳ１０６では、録画装置の記録残容量等を確認して録画の可否を判断し、録画できない場合はステップＳ１０７に移行する。録画不可を利用者に通知し、録画可能な場合はステップＳ１０８に移行する。ステップＳ１０８では、ユーザが指定した番組のコピーしたい回数を指定する。本ステップでは、記録／再生制御部１０４が、ユーザ登録情報管理部１１１の各テーブル内の情報に基づき、指定画面を表示装置１０６に表示させる。
【００３５】
図９にコピー回数入力画面を示す。図６と同じものには同じ番号を付し、説明は省略する。６０９は、コピー回数入力ボックスであり、ユーザが、リモコン等で予約した番組のコピーしたい回数を指定する。
【００３６】
この状態でＯＫボタン６０２を選択すると、ステップＳ１０９に移行する。ステップＳ１０９は録画予約処理であり、番組の録画予約を行う。また、記録／再生制御部１０４が、コンテンツ情報管理部１０９のテーブル内に、録画予約したユーザ、コピー回数の登録を行う。なお、コピー回数を０回とすると、コピーはしないが録画番組の再生は行うことを示す。
【００３７】
以上説明したように、ユーザは、番組の録画予約時に、コピー回数を指定することができる。
【００３８】
次に番組録画時の処理フローについて説明する。
【００３９】
図１０は、本実施形態にかかるコンテンツ管理装置における、番組の録画を行う際の処理手順を示す。
【００４０】
ステップＳ２０１で、コンテンツ管理装置が番組録画の指定がされているかどうかを判定する。番組録画を行う場合はステップＳ２０２に移行し、記録／再生制御部１０４が、指定された録画番組に関する権利保護情報を取得し、コンテンツ情報管理部１０９のテーブルに登録する。取得した権利保護情報が「コピーネバー」である場合、ステップＳ２１０に移行し、ユーザに録画できないことを通知する。権利保護情報が「コピーワンス」や「コピーフリー」である場合、はステップＳ２０４に移行し、録画処理を実行する。さらに、ステップＳ２０５では、
記録／再生制御部１０４が、コンテンツ情報管理部１０９のテーブルに基づき、コピー回数に制限があるかないかを判定する。権利保護情報が「コピーフリー」であればステップＳ２０９へ移行する。権利保護情報がコピー制限されているものであればステップＳ２０６に移行する。ステップＳ２０６では、記録／再生制御部１０４が、コンテンツ情報管理部１０９のテーブルに基づき、コピー許容回数が、全ユーザが指定したコピー回数以上であるかどうかを判定する。そうである場合にはステップＳ２０９へ移行し、そうでない場合はステップＳ２０７に移行する。ステップＳ２０７では、指定されたコピー数を満足できないため、記録／再生制御部１０４が、コンテンツ情報管理部１０９のテーブル内で、コピー回数の変更割当の処理を行う。変更割当の方法としては、指定時期の早いユーザから優先的にコピー数を割り当てても良いし、予め、各ユーザに優先順位をつけてもおいても良い。ステップＳ２０８では、再割り当てにより、コピー回数が不足することになったユーザにその旨通知する。通知方法としては、表示装置１０６に表示してもよいし、登録されている携帯電話のメールアドレスにメールを送るようにしてもよい。ステップＳ２０９では、記録／再生制御部１０４が、コンテンツ情報管理部１０９のテーブルに、録画の成功・不成功、ユーザ毎のコピー回数などを記録する。
【００４１】
なお、ステップＳ２０６で、コピー許容回数が、全ユーザが指定したコピー回数より大きい場合、コピー許容回数が余るため、余った分は、共有のコピー回数として管理するようにしてもよい。
【００４２】
以上説明したように、番組の録画実行時に、全ユーザが指定したコピー回数が、コピー許容回数を上回っても、ユーザ毎のコピー回数を変更して割り当てることにより、ユーザ毎のコピー回数を適切に管理することができる。
【００４３】
次に、本発明のコンテンツコピー処理フローについて説明する。
【００４４】
図１１は、本実施形態にかかるコンテンツ管理装置における、コンテンツのコピー動作の処理手順を示す。
【００４５】
まず、ステップＳ４０１ではユーザの指定を行う。ユーザの指定方法については、図７および図８で説明しているため、省略する。ステップＳ４０２では、記録／再生制御部１０４が、Ｓ４０１で指定したユーザのコンテンツリストをコンテンツ情報管理部１０９のテーブルから抽出し、表示装置１０６に表示する。ステップＳ４０３では、表示されたコンテンツリストからコピーしたいコンテンツを指定する。ステップＳ４０４では、記録／再生制御部１０４が、指定されたコンテンツにコピーの権利があるかないかを、コンテンツ情報管理部の管理テーブルから判断する。ここで、コピーの権利がある場合は、ステップＳ４０７に移行し、コピー権利がない場合はステップＳ４０５に移行する。ステップＳ４０５では、記録／再生制御部１０４が、コンテンツ情報管理部１０９のテーブルに基づき、共有のコピー回数の残数があるかどうかを確認する。残数がある場合はステップＳ４０７に移行し、残数がない場合はステップＳ４０６に移行して、コピー不可をユーザに通知する。ステップＳ４０７では、コンテンツのコピー処理を行う。コンテンツのコピー処理としては、ＤＶＤ等の異なる媒体や異なる機器にコピーする場合や、同じ機器内でコンテンツの変換を行う場合がある。コピー処理が完了すると、ステップＳ４０８に移行し、記録／再生制御部１０４が、コンテンツ情報管理部１０９のテーブルで、指定されたユーザのコピー利用数を１増やし、登録する。ステップＳ４０９では、全ユーザが行ったコピー数がコンテンツ許容数に満たなければ、本操作を終了する。そうでなければ、ステップＳ４１０に移行し、記録されているコンテンツのデジタルコピー制御情報を「ノーモアコンテンツ」に変更する。
【実施例２】
【００４６】
図１２は、本発明の第二の実施例における装置の機能構成を示したブロック図である。図１と同じものには同じ番号を付しており、説明は省略する。
【００４７】
図１２では、デジタル放送入力端子１０１に、チューナ復調部１０２a、１０２ｂが接続され、それぞれに受信信号処理部１０３a、１０３ｂが接続されている。これらによって、同時に２つの番組の記録再生が可能となる。
【００４８】
以上説明した本実施形態にかかるコンテンツ管理装置の処理フローを図１３から図１５を用いて説明する。
【００４９】
図１３は、番組の予約録画を行う際の処理手順を示す。
なお、デジタル放送の情報から予めコンテンツのコピー許容回数が分かるものとして説明する。図５と同じ処理については同じ番号を付しており、説明は省略する。
【００５０】
ステップＳ１０５で、他ユーザが録画予約をしておらず、ステップＳ１０６で、録画可能な場合は、ステップＳ３０１に移行し、記録／再生制御部１０４が、指定された録画番組に関するコピー許容回数を取得し、コンテンツ情報管理部１０９のテーブルに登録し、ステップＳ３０３に移行する。また、ステップＳ１０５で、既に他ユーザが録画予約をしている場合、ステップＳ３０２に移行する。ステップＳ３０２では、記録／再生制御部１０４が、コンテンツ情報管理部１０９のテーブルから、全ての他ユーザによって予約されたコピー回数を取得し、ステップＳ３０３に移行する。ステップＳ３０３では、図５のステップＳ１０８と同様にコピーしたい回数を指定する。ここで、コンテンツのコピー許容回数と他ユーザによって予約されたコピー回数が分かっているため、コピー残数を知らせることができる。
【００５１】
図１４に、録画予約確認画面を示す。図６と同じものには同じ番号を付し、説明は省略する。
【００５２】
６２１は、指定された番組のコピー許容回数と、他ユーザによって予約されたコピー回数を前記コピー許容回数から引いたコピー残回数の表示である。これによって、ユーザはコピー残回数を認識した上で、コピー予約回数の設定ができる。
【００５３】
ステップＳ３１０は、記録／再生制御部１０４が、コンテンツ情報管理部１０９のテーブルに基づき、コピー残回数と、設定されるコピー予約回数を比較する。コピー予約回数の方が多くなった場合は、ステップＳ３１１に移行する。ステップＳ３１１では、多くなったコピー予約回数を設定可能とするために、記録／再生制御部１０４が、もう一方のチューナ復調部でさらなる予約録画が行えるかを判定する。可能であればステップＳ３１３に移行し、もう一方のチューナ復調部で既に予約録画されているなど、不可能であれば、ステップＳ３１２に移行する。ステップＳ３１２では、ユーザにコピー予約回数の削減を要求する。
【００５４】
図１５に予約回数の削減要求をする画面を示す。図６と同じものには同じ番号を付し、説明は省略する。６２２は、操作選択のためのダイアログであり、６２３は予約回数を減らすという選択肢、６２４は予約を取り消す選択肢であり、選択肢６２３が選択された状態を示している。ユーザが選択肢６２３を選択・決定した場合は、ステップＳ３０３に移行し、ユーザが選択肢６２４を選択・決定した場合は番組予約されずに終了する。
【００５５】
ステップＳ３１３では、同時録画の確認を行う。
【００５６】
図１６に、同時録画の確認画面に示す。図１５と同じものには同じ番号を付し、説明は省略する。
【００５７】
本画面では、図１５に示した選択肢も選択できるようにし、さらに、番組予約の追加という選択肢６２５を追加している。選択肢６２５を選択した場合、２個のチューナ復調部で、１つの番組を２個予約録画する。
【００５８】
ステップＳ３１３で、選択肢６２３または選択肢６２４を選択・決定した場合は、図１５で説明したのと同様に処理される。
【００５９】
ステップＳ３１３で、選択肢６２５を選択・決定した場合は、Ｓ３１４に移行する。
【００６０】
図１７にコンテンツ情報管理部の管理テーブルを示す。図４と同じものには同じ番号を付し、説明は省略する。４２１，４２２，４２３および４２４はコンテンツを示しており、コンテンツ４２１とコンテンツ４２２、コンテンツ４２３とコンテンツ４２４は同じ番組を録画したものである。同じ番組でも別のチューナ復調部を介して記録した場合は、異なるコンテンツとして管理する。例えば、番組ＩＤの下１桁以外を番組のＩＤとし、下１桁に枝番を付して管理する。このとき、同じ番組の最大コピー数は、異なるコンテンツの最大コピー数を合計したものである。また、各ユーザのコピー回数は、同じ番組単位で管理する。
【００６１】
Ｓ３１４では、予約録画を追加した分、コピー許容回数が増えるため、記録／再生制御部１０４は、増える分をコンテンツ情報管理部１０９のテーブルに追加して、Ｓ３０３に戻り、再度、コピー予約回数を指定する。
【００６２】
以上説明したように、１つの番組に対して複数の予約録画をすることにより、コンテンツの最大コピー数を増やすことができるため、各ユーザが必要とするコピー回数を確保する可能性を高めることができる。
【００６３】
次に、コンテンツ記録後に、コピー予約回数を変更する場合について説明する。
【００６４】
図１８は、コピー予約回数の変更を行う際の処理手順を示す。
【００６５】
所定の操作により、ユーザがコピー予約回数の変更を始めると、ステップＳ５０１で、記録／再生制御部１０４が、コンテンツ情報管理部１０９のテーブルから、所定のコンテンツのコピー残回数を取得する。
【００６６】
ステップＳ５０２では、記録／再生制御部１０４が、コンテンツ情報管理部１０９及びユーザ登録情報管理部１１１の各テーブル内の情報に基づき、コンテンツリストを表示装置１０６に表示させる。
【００６７】
図１９にコンテンツリストの画面を示す。５２０では、コンテンツのタイトルと録画日時、ログインしたユーザのコピー予約回数およびタイトルのコピー残回数が表示されている。５２１はコンテンツ選択用フレームであり、コンテンツの選択、決定はリモコン等で行われる。５２２は全リスト表示ボタンであり、これを選択・決定することにより、コンテンツ管理装置内にある全ユーザのリストを表示する。コンテンツの選択、決定がされると、ステップＳ５０３で選択されたコンテンツの情報を表示する。
【００６８】
図２０に、選択されたコンテンツの情報を表示した画面を示す。本画面では、コンテンツのタイトル等の情報と、現在のコピー予約回数と、コピー残回数が表示されている。５３０はコピー予約回数入力ボックスである。
【００６９】
ユーザは、コピー残回数を確認し、その範囲で、コピー予約回数入力ボックスにコピー予約回数を入力する。５３１はＯＫボタンであり、コピー予約回数の確定を行う。５３２は取り消しボタンであり、処理を中止する。５３３は削除ボタンであり、選択したコンテンツが不要の場合に選択・決定する。
【００７０】
ステップＳ５０３で、コピー予約回数が確定されると、ステップＳ５０４でコピー予約回数が指定される。ステップ５０５でコピー予約回数がコピー残回数以下の場合は、ステップＳ５０６で、記録／再生制御部１０４が、コンテンツ情報管理部の管理テーブルに、変更されたコピー予約回数の登録を行う。
【００７１】
例えば、図２０で、変更前のコピー予約回数が０回のコンテンツで、コピー予約回数入力ボックス５３０に３を入力し、ＯＫボタンを選択・決定した後の、コンテンツリストの画面を図２１に示す。図１９と同じものには同じ番号を付し説明は省略する。図１９と比べ、図２１では、コピー予約回数が０回から３回になり、コピー残回数は４回から１回になっている。
【００７２】
以上説明したように、ユーザ毎にコピー予約回数を変更することができ、ユーザ毎のコピー回数の管理に自由度を持たせることができる。
【図面の簡単な説明】
【００７３】
【図１】本発明の第一の実施例におけるコンテンツ管理装置の機能構成を示したブロック図である。
【図２】デジタル放送信号のトランスポートストリームのデータ構造を示す図である。
【図３】本発明の第一の実施例におけるユーザ登録情報を示す図である。
【図４】本発明の第一の実施例におけるコンテンツ情報管理部の管理テーブルを示す図である。
【図５】本発明の第一の実施例における番組の予約録画を行う際の処理手順を示す図である。
【図６】本発明の第一の実施例における録画予約確認画面を示す図である。
【図７】本発明の第一の実施例におけるユーザ選択画面を示す図である。
【図８】本発明の第一の実施例におけるパスワード入力画面を示す図である。
【図９】本発明の第一の実施例におけるコピー回数入力画面を示す図である。
【図１０】本発明の第一の実施例における装置における、番組の録画を行う際の処理手順を示す図である。
【図１１】本発明の第一の実施例における装置における、コンテンツのコピー動作の処理手順を示す図である。
【図１２】本発明の第二の実施例におけるコンテンツ管理装置の機能構成を示したブロック図である。
【図１３】本発明の第二の実施例における番組の予約録画を行う際の処理手順を示す図である。
【図１４】本発明の第二の実施例における録画予約確認画面を示す図である。
【図１５】本発明の第二の実施例における予約回数の削減要求をする画面を示す図である。
【図１６】本発明の第二の実施例における同時録画の確認画面を示す図である。
【図１７】本発明の第二の実施例におけるコンテンツ情報管理部の管理テーブルを示す図である。
【図１８】本発明の第二の実施例におけるコピー予約回数の変更を行う際の処理手順を示す図である。
【図１９】本発明の第二の実施例におけるコンテンツリストの画面を示す図である。
【図２０】本発明の第二の実施例における選択されたコンテンツの情報を表示した画面を示す図である。
【図２１】本発明の第二の実施例におけるコンテンツリストの画面を示す図である。
【符号の説明】
【００７４】
１０１・・・デジタル放送信号入力端子、１０２・・・チューナ復調部、１０３・・・受信処理部、１０４・・記録・再生制御部、１０５・・・再生信号処理部、１０６・・・表示装置、１０７・・・スピーカー、１０８・・・コンテンツ記憶部、１０９・・・コンテンツ情報管理部、１１１・・・ユーザ情報登録部、１１２・・・入力端子、１１３・・・入力処理部
【図１】
2010141757.tif 000003
【図２】
2010141757.tif 000004
【図３】
2010141757.tif 000005
【図４】
2010141757.tif 000006
【図５】
2010141757.tif 000007
【図６】
2010141757.tif 000008
【図７】
2010141757.tif 000009
【図８】
2010141757.tif 000010
【図９】
2010141757.tif 000011
【図１０】
2010141757.tif 000012
【図１１】
2010141757.tif 000013
【図１２】
2010141757.tif 000014
【図１３】
2010141757.tif 000015
【図１４】
2010141757.tif 000016
【図１５】
2010141757.tif 000017
【図１６】
2010141757.tif 000018
【図１７】
2010141757.tif 000019
【図１８】
2010141757.tif 000020
【図１９】
2010141757.tif 000021
【図２０】
2010141757.tif 000022
【図２１】
2010141757.tif 000023